(57)【特許請求の範囲】
【請求項１】
自動販売機をその据付け場所に固定するための据付け固定装置であり、自動販売機の基台四隅に配した支脚のうちの特定した支脚と該支脚の内側に並置して据付け基礎面に植設したアンカーボルトとの間にまたがって固定金具を架け渡したうえで、アンカーボルトに螺合したナットを自動販売機の基台に開口した穴を通して機内側から締めつけ操作して固定金具を締結したものにおいて、
前記ナットを包囲するようにアンカーボルトにカップ状のナットカバーを嵌挿し、該ナットカバーをナットで共締めし、その取付状態においてナットカバー上縁が基台の穴に入り込むようにナットカバーの長さ寸法を設定したことを特徴とする自動販売機の据付け固定装置。
【発明の詳細な説明】
【０００１】
【発明の属する技術分野】
本発明は、自動販売機をその据付け場所から動かないように固定するための据付け固定装置に関する。
【０００２】
【従来の技術】
ロケーション先に据付けた自動販売機は、その保安対策として地震，あるいはいたずら行為などで揺すられても不測に転倒するとがないように据付け基礎面にしっかりと固定することが義務付けられている。
そこで、自動販売機をロケーション先に据付ける際には、あらかじめ設置場所に施工したコンクリート，あるいは鉄板の基礎にアンカーボルト（基礎ボルト）を植設しておき、自動販売機の基台四隅に配した支脚とアンカーボルトとの間に固定金具を架け渡したうえで、この固定金具が外れないように締結して自動販売機が設置場所から動かないように固定している。
【０００３】
次に、従来実施されている自動販売機の据付け固定装置を図３，図４で説明する。まず、図３(a),(b) において、１は自動販売機の本体キャビネット、１ａはキャビネットの基台、２は基台１ａの四隅に配した支脚（高さが可調整なボルト式の支脚）、３は自動販売機の据付け位置に合わせて据付け基礎（コンクリート，鉄板など）４に植設したアンカーボルト、５はアンカーボルト３に螺合する締結用のナット、６は座金、７は自動販売機の前部側に並ぶ左右２本の支脚２とその内側に並置して植設したアンカーボルト３との間に架け渡した固定金具である。なお、固定金具７は堅牢な鋼板製であり、その板面中央には一端を側方に開放した長溝７ａが形成されている。
【０００４】
そして、自動販売機の現地据付けに際しては、まず自動販売機を指定された位置に位置決めして基礎４の上に載せたうえで、前記固定金具７を図３(b) のように基礎面に沿わせてスライドさせながら、自動販売機の支脚２とその内側に並ぶアンカーボルト３に跨がって長溝７ａを嵌入し、後記のような施工法によりアンカーボルト３に座金６と一緒にナット５を螺合して固定金具７を締結する。なお、この場合に特に自動販売機の前部側に並ぶ左右の支脚２に架け渡した固定金具７が自動販売機の外側にはみ出さないようにするために、アンカーボルト３は支脚２の内側に植設し、かつ左右の固定金具７が互いに異なる方向を向くように定めている。
【０００５】
また、図４で示すように自動販売機の基台１ａには、前記したアンカーボルト３の植設位置に合わせてその直上から工具（ボックスレンチ）８を使ってナット５を締めつけ操作するための穴１ａ-1が開口しており、自動販売機の据付け施工に当たってアンカーボルト３にナット５を螺合して固定金具７を締結する際には、自動販売機の前面扉を開いたうえで、図示のように機内側から工具８を使い、前記穴１ａを通じて上方からナット５を締めつけ操作するようにしている。なお、このような固定金具７の固定方式は、本発明と同一出願人より先に出願した特開２００１−１３４８２１号の公報に開示されている。
【０００６】
【発明が解決しようとする課題】
ところで、昨今では自動販売機の盗難事故が多発しており、その盗難手口は扉のロック機構を破壊して機内から金銭を盗み出すものから、運搬車両を用意して自動販売機本体を据付け場所からそっくり持ち去るといった大掛かりな手口にエスカレートする傾向にあり、自動販売機のメーカーではこのような盗難手口を防ぐ適切な防盗対策を確立することが急務となっている。
【０００７】
かかる観点から先記した従来の据付け固定装置を検討すると、図３(a) で判るように固定金具７をアンカーボルト３に締結しているナット５が、基礎４と自動販売機の基台１ａとの間の隙間にそのまま露呈している。このために、図４で示すようにスパナ９などの工具を使い、自動販売機の基台と基礎との間の隙間に側方から工具を差し入れてアンカーボルト３のナット５を緩めることにより、固定金具７を自動販売機の支脚２から簡単に外すことができ、前記のように自動販売機本体を据付け場所から持ち去る盗難手口に対しては殆ど無防備である。
【０００８】
そこで、本発明の目的は自動販売機本体を据付け場所から盗み出す盗難手口に対する防盗対策として、簡易な部品を追加装備するだけで外部からアンカーボルトのナットを直接回せなくなるようにして防盗性を高めた自動販売機の据付け固定装置を提供することにある。
【０００９】
【課題を解決するための手段】
上記目的を達成するために、本発明によれば、自動販売機の基台四隅に配した支脚のうちの特定した支脚と該支脚の内側に並置して据付け基礎面に植設したアンカーボルトとの間にまたがって固定金具を架け渡したうえで、アンカーボルトに螺合したナットを自動販売機の基台に開口した穴を通して機内側から締めつけ操作して固定金具を締結した据付け固定装置において、
前記ナットを包囲するようにアンカーボルトにカップ状のナットカバーを嵌挿し、該ナットカバーをナットで共締めし、その取付状態においてナットカバー上縁が基台の穴に入り込むようにナットカバーの長さ寸法を設定する。
【００１０】
上記の構成の据付け固定装置を使用して自動販売機を設置場所に固定することにより、据付け状態では自動販売機の支脚とアンカーボルトとの間に架け渡した固定金具を締結するアンカーボルトおよびナットが、ナットカバー（ナットカバーは強化プラスチック，あるいは金属製）で包囲されていて外部に露呈してなく、かつナットカバーはナットで共締めされていてアンカーボルトから抜けないようしている。したがって、スパナなどの工具を使って側方からナットを直接回すことができず、これにより自動販売機の支脚から固定金具を外して自動販売機本体を設置場所から盗み出す盗難手口に対して高い防盗性を確保できる。
【００１１】
【発明の実施の形態】
以下、本発明の実施の形態を図１，図２に示す実施例に基づいて説明する。なお、実施例の図中で図３，図４に対応する部材には同じ符号を付してその説明は省略する。
すなわち、図示実施例の据付け固定装置は、基本的には従来と同じ構造であるが、防盗対策として新たにナットカバー１０が追加装備されている。このナットカバー１０は容易に破壊できない金属，あるいは強化プラスチックで作られたカップ形状体で、その底面にはアンカーボルト３が挿通する穴１０ａが開口している。
【００１２】
そして、自動販売機の据付け施工時には、現地に搬入した自動販売機をあらかじめ施工しておいた基礎４の上に載せて定位置に位置決めし、続いて図３で述べたように自動販売機の支脚２とアンカーボルト３との間に固定金具７を架け渡した状態で自動販売機の扉を開き、機内側から基台１ａに開口した工具操作用の穴１ａを通じてアンカーボルト３にナットカバー１０，座金６を嵌挿し、さらにアンカーボルト３に螺合したナット５を工具（ボックスレンチ）８を使って上方から締めつけ操作して固定金具７およびナットカバー１０を共締めする。
【００１３】
ここで、ナットカバー１０はその長さ寸法（高さ方向）を自動販売機の支脚２の長さに対応して定め、図１に示す据付け状態ではカバー１０の上縁が自動販売機の基台１ａに開口した穴１ａの中に入り込んでアンカーボルト３およびナット５の周面を完全に包囲するようにしている。
これにより、自動販売機を据付け固定した状態では、アンカーボルト３およびナット５の周囲がナットカバー１０に覆われていて側方からは直接触れることができず、図４で述べたように自動販売機の基台と据付け基礎面の間の隙間にスパナ９を差し入れてナット５を緩め、固定金具７を支脚２から外して自動販売機本体を盗み出すといって盗難手口に対し高い防盗性を発揮できる。
【００１４】
【発明の効果】
以上述べたように、本発明によれば、自動販売機の基台四隅に配した支脚のうちの特定した支脚と該支脚の内側に並置して据付け基礎面に植設したアンカーボルトとの間にまたがって固定金具を架け渡したうえで、アンカーボルトに螺合したナットを自動販売機の基台に開口した穴を通して機内側から締めつけ操作して固定金具を締結した据付け固定装置において、
前記ナットを包囲するようにアンカーボルトにカップ状のナットカバーを嵌挿し、該ナットカバーをナットで共締めしたしたことにより、ナットカバーが邪魔をして側方からナットを直接回すことかできなくなる。これにより、従来構造の装置に簡単な部品（ナットカバー）を追加するだけで、据付け場所から自動販売機本体をそのまま盗み出すような盗難手口に対して高い防盗性が確保できる。
【図面の簡単な説明】
【図１】本発明の実施例による据付け固定装置の使用状態を表す図
【図２】図１における据付け固定装置の分解斜視図
【図３】従来における自動販売機の据付け固定装置を示し、(a) は自動販売機を据付け位置に固定した状態を表す正面図、(b) は(a) における据付け固定装置の施工手順を表す説明図
【図４】図３における据付け装置およびその周辺部の拡大断面図
【符号の説明】
１    自動販売機の本体キャビネット
１ａ  基台
２    支脚
３    アンカーボルト
４    据付け基礎
５    ナット
７    固定金具
１０    ナットカバー
【図１】
0003931637.tif 000002
【図２】
0003931637.tif 000003
【図３】
0003931637.tif 000004
【図４】
0003931637.tif 000005